(57)【特許請求の範囲】
【請求項１】
媒体のセット面の反対側に位置合わせ用の凸部が設けられたセットトレイと、
前記セットトレイを着脱可能に配置する取付アタッチメントであって、前記凸部と嵌合し前記セットトレイの着脱方向に貫通する貫通孔が設けられた取付アタッチメントと、
前記着脱方向と交差する方向に回動することにより前記取付アタッチメントを前記着脱方向に移動するレバーと、を備え、
前記凸部は、前記取付アタッチメントに前記セットトレイを配置した状態では、前記貫通孔を通して前記取付アタッチメントから突出し、
前記レバーの回動範囲は、前記取付アタッチメントから突出した前記凸部の存在可能領域を含み、
前記取付アタッチメントから突出した前記凸部は、前記レバーが前記存在可能領域を回動する際には前記レバーの回動範囲から前記着脱方向に退避することを特徴とする媒体支持装置。
【請求項２】
請求項１に記載の媒体支持装置において、
当該媒体支持装置は第１の方向に搬送される構成であり、
前記凸部は、前記媒体の搬送方向に離間して二つ設けられ、
前記レバーの回動範囲は、前記取付アタッチメントから突出した二つの前記凸部のうち少なくとも一方の存在可能領域を含むことを特徴とする媒体支持装置。
【請求項３】
請求項１又は２に記載の媒体支持装置において、前記レバーは取っ手部を有し、前記取っ手部は前記凸部の前記取付アタッチメントからの突出方向に張り出した形状であることを特徴とする媒体支持装置。
【請求項４】
請求項１から３のいずれか一項に記載の媒体支持装置において、前記レバーは取っ手部を有し、前記取っ手部は中抜き部を有することを特徴とする媒体支持装置。
【請求項５】
請求項１又は２に記載の媒体支持装置において、前記レバーは取っ手部を有し、前記取っ手部はＬ字状であることを特徴とする媒体支持装置。
【請求項６】
請求項１から５のいずれか一項に記載の媒体支持装置と、
前記媒体に記録を行う記録部と、を備えることを特徴とする記録装置。
【発明の詳細な説明】
【技術分野】
【０００１】
本発明は、媒体支持装置及び媒体支持装置を備える記録装置に関する。
【背景技術】
【０００２】
従来から、媒体を支持する媒体支持装置及び媒体支持装置を備える記録装置が使用されている。例えば、特許文献１には、被記録媒体を支持するプラテンの水平調整機構を備えた記録装置が開示されている。
【０００３】
また、従来の媒体支持装置には、位置合わせ用のピンを用いて布帛等の被記録媒体のセットトレイを取付アタッチメントに着脱可能に配置し、セットトレイの着脱方向と交差する方向に回動することにより取付アタッチメントを該着脱方向に移動させるレバーを備えるものがある。このような構成の媒体支持装置は、セットトレイを取付アタッチメントに安定に配置するため、セットトレイに設けられたピンを取付アタッチメントに設けられた貫通孔に貫通させる構成である。このため、ピンは所定の長さが必要であり取付アタッチメントから突出している。また、このような構成の媒体支持装置は、ピンをレバーの回動範囲内に設けると取付アタッチメントから突出した該ピンとレバーとが接触してしまう。このため、ピンをレバーの回動範囲外に設けていた。
【先行技術文献】
【特許文献】
【０００４】
【特許文献１】特開２００６−２４０１０７号公報
【発明の概要】
【発明が解決しようとする課題】
【０００５】
しかしながら、上記構成の従来の媒体支持装置は、ピンをレバーの回動範囲外に設けることで大型の配置部が必要になる。このため、上記構成の従来の媒体支持装置は小型化することが困難であるという課題があった。  
また、特許文献１は、レバーをセットトレイの着脱方向と交差する方向に回動して媒体を支持する部材を該着脱方向に移動する構成については記載も示唆もない。
【０００６】
本発明は、位置合わせ用のピンを用いて媒体のセットトレイを取付アタッチメントに着脱可能に配置し、セットトレイの着脱方向と交差する方向に回動することにより取付アタッチメントを該着脱方向に移動させるレバーを備える媒体支持装置に関する。  
本発明の目的は、このような構成の媒体支持装置の小型化を可能にすることである。
【課題を解決するための手段】
【０００７】
上記課題を解決するための本発明の第１の態様の媒体支持装置は、媒体のセット面の反対側に位置合わせ用の凸部が設けられたセットトレイと、前記セットトレイを着脱可能に配置する取付アタッチメントであって、前記凸部と嵌合し前記セットトレイの着脱方向に貫通する貫通孔が設けられた取付アタッチメントと、前記着脱方向と交差する方向に回動することにより前記取付アタッチメントを前記着脱方向に移動するレバーと、を備え、前記凸部は、前記取付アタッチメントに前記セットトレイを配置した状態では、前記貫通孔を通して前記取付アタッチメントから突出し、前記レバーの回動範囲は、前記取付アタッチメントから突出した前記凸部の存在可能領域を含み、前記取付アタッチメントから突出した前記凸部は、前記レバーが前記存在可能領域を回動する際には前記レバーの回動範囲から前記着脱方向に退避することを特徴とする。
【０００８】
ここで、「前記取付アタッチメントから突出した前記凸部の存在可能領域」とは、前記凸部が前記レバーの回動により前記セットトレイの着脱方向に移動した場合において、該凸部の存在し得る全領域を意味している。
【０００９】
本態様によれば、前記レバーの回動範囲は、前記取付アタッチメントから突出した前記凸部の存在可能領域を含む。つまり、レバーの近傍に位置合わせ用の凸部が位置する構成である。このため、取付アタッチメントを小型化でき、装置の小型化が可能になる。  
また、前記凸部は、前記取付アタッチメントに前記セットトレイを配置した状態では、前記貫通孔を通して前記取付アタッチメントから突出している。すなわち、凸部の長さは取付アタッチメントの厚さよりも大である。これは、前記凸部が貫通孔に安定して保持されることができることを意味する。つまり、長い凸部を用いることが可能になり、前記セットトレイを前記取付アタッチメントに安定して配置することができる。  
さらに、前記取付アタッチメントから突出した前記凸部は、前記レバーが前記存在可能領域を回動する際には前記レバーの回動範囲から前記着脱方向に退避するので、前記レバーと前記凸部とが接触しない。このため、ユーザーは前記レバーによる前記取付アタッチメントの前記着脱方向への移動を容易に行うことができる。
【００１０】
本発明の第２の態様の媒体支持装置は、前記第１の態様において、当該媒体支持装置は第１の方向に搬送される構成であり、前記凸部は、前記媒体の搬送方向に離間して二つ設けられ、前記レバーの回動範囲は、前記取付アタッチメントから突出した二つの前記凸部のうち少なくとも一方の存在可能領域を含むことを特徴とする。
【００１１】
本態様によれば、前記凸部は、前記媒体の例えば搬送方向となる第１の方向に離間して二つ設けられており、前記レバーの回動範囲は、前記取付アタッチメントから突出した二つの前記凸部のうち少なくとも一方の凸部の存在可能領域を含む。このため、レバーの近傍に位置合わせ用の凸部を設けていることで装置の小型化が可能であるとともに、セットトレイを取付アタッチメントにより安定して配置することができる。
【００１２】
本発明の第３の態様の媒体支持装置は、前記第１又は第２の態様において、前記レバーは取っ手部を有し、前記取っ手部は前記凸部の前記取付アタッチメントからの突出方向に張り出した形状であることを特徴とする。
【００１３】
本態様によれば、前記レバーは取っ手部を有し、前記取っ手部は前記凸部の前記取付アタッチメントからの突出方向に張り出した形状である。ユーザーは前記レバーによる前記取付アタッチメントの前記着脱方向への移動を行う際、前記取付アタッチメントからの突出方向に張り出した取っ手を持つことができる。このため、ユーザーは前記取付アタッチメント側の構造物等に手を触れることなく前記レバーによる前記取付アタッチメントの前記着脱方向への移動を行うことができる。
【００１４】
本発明の第４の態様の媒体支持装置は、前記第１から第３のいずれか１つの態様において、前記レバーは取っ手部を有し、前記取っ手部は中抜き部を有することを特徴とする。
【００１５】
本態様によれば、前記レバーは取っ手部を有し、前記取っ手部は中抜き部を有する。このため、ユーザーが前記レバーによる前記取付アタッチメントの前記着脱方向への移動を行う際、ユーザーはレバーの中抜き部に指を入れて行うことができるので、容易に行うことができる。
【００１６】
本発明の第５の態様の媒体支持装置は、前記第１又は第２の態様において、前記レバーは取っ手部を有し、前記取っ手部はＬ字状であることを特徴とする。
【００１７】
本態様によれば、前記レバーは取っ手部を有し、前記取っ手部はＬ字状である。このため、ユーザーが前記レバーによる前記取付アタッチメントの前記着脱方向への移動を行う際、ユーザーはＬ字状の取っ手部を持って行うことができるので、力が入れやすく容易に行うことができる。
【００１８】
本発明の第６の態様の記録装置は、前記第１から第５のいずれか１つの態様の媒体支持装置と、前記媒体に記録を行う記録部と、を備えることを特徴とする。
【図面の簡単な説明】
【００１９】
【図１】本発明の実施例１に係る記録装置の概略斜視図。
【図２】本発明の実施例１に係る記録装置の概略側面図。
【図３】本発明のセットトレイの一例を示す斜視図。
【図４】本発明の媒体の一例を示す斜視図。
【図５】本発明の取付アタッチメントの一例を示す斜視図。
【図６】本発明の実施例１に係るレバーを示す概略斜視図。
【図７】本発明の実施例１に係る記録装置の概略正面図。
【図８】本発明の実施例１に係るレバーの回動範囲を示す概略平面図。
【図９】本発明の実施例２に係るレバーを示す概略斜視図。
【図１０】本発明の実施例３に係るレバーを示す概略斜視図。
【図１１】本発明の実施例４に係るレバーを示す概略斜視図。
【図１２】本発明の実施例５に係るレバーを示す概略斜視図。
【発明を実施するための形態】
【００２０】
以下に、本発明の実施例に係る媒体支持装置及び記録装置について、添付図面を参照して詳細に説明する。  
下記の実施例では媒体支持装置としての媒体支持機構を備える記録装置を用いて説明している。また、下記の実施例では記録装置として記録ヘッドからインクを吐出して記録を行うインクジェット記録装置を用いて説明している。しかし、本発明の媒体支持装置は、媒体支持機構を備える記録装置に限定されるわけではない。また、本発明の記録装置は、インクジェット記録装置に限定されない。例えば、本発明は転写式の記録装置なども含む。  
また、下記の実施例では媒体Ｐとして、布帛であるＴシャツを使用したが（図４参照）、本発明で使用可能な媒体はＴシャツに限定されず、他の布帛、更に記録用紙等でもよく、特定のものに限定されない。
【００２１】
［実施例１］（図１−図８）
図１は、本発明の実施例１に係る記録装置の概略斜視図である。  
本実施例の記録装置１は、図１に示すように、媒体Ｐ（図４参照）をセットするセット面７を備えたセットトレイ４を備えている。搬送部３は、搬送方向Ａにセットトレイ４を移動することにより媒体Ｐを搬送する。セットトレイ４は、媒体支持装置２を構成する支柱８等を介して、搬送部３のガイドテーブルに支持されている。
【００２２】
また、記録装置１には、記録部としての記録ヘッド６が備えられている。記録装置１は、キャリッジ５を介して搬送方向Ａと交差する走査方向Ｂに記録ヘッド６を往復移動させながら、記録ヘッド６から媒体Ｐにインクを吐出させて所望の画像を形成する。
【００２３】
図２は、本発明の実施例１に係る記録装置の概略側面図である。  
媒体支持装置２は、セットトレイ４、該セットトレイ４を配置する取付アタッチメント９、セットトレイ４の着脱方向へ取付アタッチメント９を移動させるレバー１１及び支柱８を備えている。セットトレイ４は、セット面７の反対側に該セットトレイ４の位置合わせ用の凸部としてのピン１０を備え、取付アタッチメント９に配置される。取付アタッチメント９は、レバー１１及び支柱８に対しての位置合わせ用の凸部１８と、レバー１１に対しての支持部材である凸部１２とを備えている。なお、本実施例の取付アタッチメント９は、セット面７が記録ヘッド６のノズル面に対して平行になるようにセットトレイ４を配置することを可能にする部材である。  
なお、本実施例におけるセットトレイ４の着脱方向Ｄは鉛直方向であるが、本発明はこの構成に限定されない。
【００２４】
図３は、本発明のセットトレイの一例を示す斜視図である。  
図３（Ａ）は、セットトレイ４のセット面７側を示しており、図３（Ｂ）は、セットトレイ４のセット面７の裏側（反対側）１３を示している。裏側１３には、ピン１０が媒体Ｐの搬送方向Ａに離間して二つ設けられている。また、セットトレイ４を取付アタッチメント９に配置する際の支持部材２３が四つ設けられている。このような構成により、セットトレイ４は取付アタッチメント９に安定して配置される。また、本実施例のセットトレイ４は媒体Ｐの搬送方向Ａが長手方向となっている。本実施例のセットトレイ４は、長手方向にピン１０が離間して二つ設けられていることで、特に、安定して取付アタッチメント９に配置される。ただし、本発明はこのような構成に限定されない。
【００２５】
図４は、本発明の媒体の一例を示す斜視図（Ａ）と、該媒体をセットトレイ４にセットした状態の斜視図（Ｂ）である。  
図４（Ａ）は本実施例の媒体ＰとしてのＴシャツである。この媒体Ｐを図４（Ｂ）のように、セットトレイ４のセット面７にセットする。
【００２６】
図５は、本発明の取付アタッチメントの一例を示す斜視図である。  
図５（Ａ）は、取付アタッチメント９におけるセットトレイ４を配置する配置面２２側を示しており、図５（Ｂ）は、取付アタッチメント９におけるレバー１１側を示している。取付アタッチメント９は、セットトレイ４に設けられたピン１０、１０と嵌合する二つの貫通孔１７、１７を備えている。貫通孔１７は取付アタッチメント９をセットトレイ４の着脱方向Ｄに貫通している。また、取付アタッチメント９は、レバー１１が位置する側に、レバー１１及び支柱８に対しての位置合わせ用の凸部１８を一つと、レバー１１に対しての支持部材である凸部１２を三つ備えている。
【００２７】
図６は、本発明の実施例１に係るレバーを示す概略斜視図である。  
レバー１１は、基端部が支柱８側の回転可能部２４（図７）にネジ１５で接続され、前記支柱８を支点にして回動方向Ｃに回動可能である。レバー１１の基端部である支柱８との接続部２５には中央に貫通孔１６が備えられている。取付アタッチメント９に備えられた位置合わせ用の凸部１８を貫通孔１６に嵌め合わせることで、取付アタッチメント９はレバー１１及び支柱８に対して位置合わせされる。なお、本実施例において回動方向Ｃは水平方向であるが、本発明のレバーの回動方向はセットトレイ４の着脱方向Ｄと交差する方向であればよく水平方向には限定されない。
【００２８】
レバー１１の前記接続部２５には、取付アタッチメント９に備えられた三つの凸部１２に対応して、三つの階段状の斜面１４が備えられている。凸部１２を斜面１４に配置してレバー１１を回動方向Ｃに回動することにより、取付アタッチメント９をセットトレイ４の着脱方向Ｄに移動することができる。本実施例では、階段状の斜面１４を有することで、多段階式に移動することができるが、このような構成に限定されない。階段状の斜面の代わりになだらかな斜面を用い、無段階で取付アタッチメント９を移動できる構成としてもよい。なお、本実施例において取付アタッチメント９の移動方向は鉛直方向であるが、本発明の取付アタッチメント９の移動方向はセットトレイ４の着脱方向Ｄであればよく鉛直方向には限定されない。
【００２９】
図７は、本発明の実施例１に係る記録装置の概略正面図である。  
本実施例の記録装置１において、レバー１１の回動方向Ｃは水平方向であり、レバー１１の回動に伴うピン１０の移動方向（セットトレイ４の着脱方向Ｄ）は鉛直方向である。このため、以下に、ピン１０の存在可能領域Ｒ１及びレバー１１の回動範囲Ｒ２についての説明を高さという表現を用いて説明する。ただし、本発明はセットトレイ４の着脱方向Ｄが鉛直方向に限定されるものではない。また、これに伴い、レバー１１の回動方向Ｃは水平方向に限定されるものではなく、レバー１１の回動に伴うピン１０の移動方向は鉛直方向に限定されるものではない。
【００３０】
図７（Ａ）は、取付アタッチメント９の高さを最低に調整した際の媒体支持装置２を示しており、図７（Ｂ）は、取付アタッチメント９の高さを最高に調整した際の媒体支持装置２を示している。  
図７（Ａ）において、レバー１１は、図７（Ａ）中の右側に位置している。レバー１１がこの位置にあるときの取付アタッチメント９から突出したピン１０の下端部Ｌの高さＨ２は、レバー１１の上端部Ｕの高さＨ１よりも低い。なお、レバー１１を回動方向Ｃ１に回動させると、取付アタッチメント９は上方向Ｄ１に移動する。
【００３１】
図７（Ｂ）は、取付アタッチメント９の高さを最高に調整した際の媒体支持機構２であり、レバー１１は図７（Ｂ）中の左側に位置している。レバー１１がこの位置にあるときの取付アタッチメント９から突出したピン１０の下端部Ｌの高さＨ３は、レバー１１の上端部Ｕの高さＨ１よりも高い。なお、レバー１１を回動方向Ｃ２に回動させると、取付アタッチメント９は下方向Ｄ２に移動する。  
また、図７（Ｂ）において、一点鎖線で表されるレバー１１の回動範囲Ｒ２は、破線で表されるピン１０の存在可能領域Ｒ１を含んでいる。ただし、レバー１１がピン１０の存在可能領域Ｒ１を回動する際には、レバー１１の上端部Ｕよりピン１０の下端部Ｌが高い高さとなるようにピン１０が上方向Ｄ１に退避する構成となっている。
【００３２】
図８は、本発明の実施例１に係るレバーの回動範囲Ｒ２を示す概略平面図である。  
レバー１１は回動方向Ｃに回動する。図８において、一点鎖線で表されるレバー１１の回動範囲Ｒ２は、二つあるうちの一方のピン１０の存在可能領域Ｒ１を含んでいる。なお、本実施例の回動レバー１１は、図５及び図６で表されるように、取付アタッチメント９に備えられた、三つの凸部１２に対応して三つの階段状の斜面１４が備えている。このため、レバー１１の回動範囲Ｒ２は、三つの階段状の斜面１４に対応して、回転軸を基準にして約１２０°回動可能である。ただし、本発明はこのような構成に限定されない。
【００３３】
［実施例２］（図９）
図９は、本発明の実施例２に係るレバーを示す概略斜視図である。  
なお、本実施例において、レバー１１以外の構成は実施例１と同様の構成であるため、同一部分に同一符号を付してレバー１１以外の構成についての詳細な説明は省略する。
【００３４】
本実施例のレバー１１は、取っ手部１９を有し、取っ手部１９はピン１０の取付アタッチメント９からの突出方向である下方向に張り出した形状である。ユーザーはレバー１１によってセットトレイ４の着脱方向への取付アタッチメント９の移動を行う際、レバー１１の下方向に張り出した取っ手部１９を持つことができる。このため、ユーザーはレバー１１の上部に存在する構造物等に手を触れることなくセットトレイ４の着脱方向への取付アタッチメント９の移動を行うことができる。
【００３５】
［実施例３］（図１０）
図１０は、本発明の実施例３に係るレバーを示す概略斜視図である。  
なお、本実施例において、レバー１１以外の構成は実施例１と同様の構成であるため、レバー１１以外の構成についての詳細な説明は省略する。
【００３６】
本実施例のレバー１１は、取っ手部１９を有し、取っ手部１９は中抜き部２０を有する形状である。ユーザーはレバー１１によってセットトレイ４の着脱方向への取付アタッチメント９の移動を行う際、中抜き部２０に指を入れて行うことができる。このため、容易にセットトレイ４の着脱方向への取付アタッチメント９の移動を行うことができる。
【００３７】
［実施例４］（図１１）
図１１は、本発明の実施例４に係るレバーを示す概略斜視図である。  
なお、本実施例において、レバー１１以外の構成は実施例１と同様の構成であるため、レバー１１以外の構成についての詳細な説明は省略する。
【００３８】
本実施例のレバー１１は、取っ手部１９を有し、取っ手部１９は中抜き部２０及び平面部２１を有する形状である。ユーザーはレバー１１によるセットトレイ４の着脱方向への取付アタッチメント９の移動を行う際、中抜き部２０に指を入れて行うこと及び平面部２０を持って行うことの両方ができる。このため、容易にセットトレイ４の着脱方向への取付アタッチメント９の移動を行うことができる。
【００３９】
［実施例５］（図１２）
図１２は、本発明の実施例５に係るレバーを示す概略斜視図である。  
なお、本実施例において、レバー１１以外の構成は実施例１と同様の構成であるため、レバー１１以外の構成についての詳細な説明は省略する。
【００４０】
本実施例のレバー１１は、棒状の取っ手部１９を有する形状である。ユーザーはレバー１１によるセットトレイ４の着脱方向への取付アタッチメント９の移動を行う際、Ｌ字状の取っ手部１９を持って行うことができる。このため、ユーザーは力が入れやすく容易にセットトレイ４の着脱方向への取付アタッチメント９の移動を行うことができる。
【符号の説明】
【００４１】
１  記録装置、２  媒体支持装置、３  搬送部、４  セットトレイ、
５  キャリッジ、    ６  記録ヘッド、７  セット面、８  支柱、
９  取付アタッチメント、１０  ピン、  １１  レバー、１２  凸部、
１３  セット面７の裏側、１４  斜面、１５  ネジ、１６  貫通孔、１７  貫通孔、
１８  凸部、１９  取っ手部、２０  中抜き部、２１  平面部、
２２  配置面、２３  支持部材、２４  回転可能部、２５  接続部、
Ｌ  ピン１０の下端部、Ｐ  媒体、Ｒ１  ピン１０の存在可能領域、
Ｒ２  レバー１１の回動範囲、Ｕ  レバー１１の上端部
【図１】
0005935992.tif 000002
【図２】
0005935992.tif 000003
【図３】
0005935992.tif 000004
【図４】
0005935992.tif 000005
【図５】
0005935992.tif 000006
【図６】
0005935992.tif 000007
【図７】
0005935992.tif 000008
【図８】
0005935992.tif 000009
【図９】
0005935992.tif 000010
【図１０】
0005935992.tif 000011
【図１１】
0005935992.tif 000012
【図１２】
0005935992.tif 000013